(57)【要約】      （修正有）【課題】ケーブルリール用フレーム組立体が、ドラムを回転可能に支持するための下部支持フレームと、下部支持フレームに取り付けられる上部支持部材とを含む遠隔ビデオ検査システム用リールフレームを提供する。【解決手段】上部支持部材が、ドラムの上方に配置され、上部支持部材が作業位置にあるときに上部平面を画定する。上部支持部材が、使用者の折り畳み式シート、収納用の引き出し、および／または装置を置くための台を形成する構造とする。【選択図】図２Ａ
2011103649.tif 000002
【特許請求の範囲】
【請求項１】
ドラムを回転可能に支持する下部支持フレームと、該ドラムが
第１の脚組立体、
第１の脚組立体から離間された第２の脚組立体、
第１の脚組立体と第２の脚組立体との間に配置されるブリッジ部材を備え、
第１の脚組立体と第２の脚組立体との間で回転可能に支持され、さらに
下部支持フレームに取り付けられ、少なくとも１つの平面台部材を備える上部支持部材とを備える、ケーブルリール用フレーム組立体。
【請求項２】
上部支持部材が、下部支持フレームに取り付けられ、収納位置と作業位置との間で可動である、請求項１に記載のフレーム組立体。
【請求項３】
上部支持部材が、収納位置にあるときにはドラムのわきに位置し、作業位置にあるときにはドラムの上方に位置する、請求項２に記載のフレーム組立体。
【請求項４】
上部支持部材が、少なくとも１つのシート、作業台、および引き出しの役割をする構造である、請求項１に記載のフレーム組立体。
【請求項５】
少なくとも１つの平面台部材が、第１の部材と第２の部材とを含み、これらが間に空間を画定する、請求項１に記載のフレーム組立体。
【請求項６】
第１の部材がシートとして使用され、第２の部材が作業台として使用される、請求項５に記載のフレーム組立体。
【請求項７】
ブリッジ部材が空間を通って伸びる、請求項５に記載のフレーム組立体。
【請求項８】
各脚組立体が逆Ｖ字型形状を画定する、請求項１に記載のフレーム組立体。
【請求項９】
ブリッジ部材がＵ字型形状を画定する、請求項１に記載のフレーム組立体。
【請求項１０】
上部支持部材がさらに、第１の部材と第２の部材との間に配置され、上部支持部材を下部支持フレームに接続する少なくとも１つの接続部材を備える、請求項５に記載のフレーム組立体。
【請求項１１】
上部支持部材が一体成形部品である、請求項１に記載のフレーム組立体。
【請求項１２】
上部支持部材が、下部支持フレームの一部が通ることができる開口部を画定する、請求項１１に記載のフレーム組立体。
【請求項１３】
装置の取付機構を係合するために、下部支持フレームのわきに配置される補助支持ブラケットをさらに備える、請求項１に記載のフレーム組立体。
【請求項１４】
補助支持ブラケットが、下部支持フレームに取り付けられる中央取付部と、中央取付部の両側のフランジの組とを含み、フランジが各々、装置の取付機構を受承するチャネルを画定する、請求項１３に記載のフレーム組立体。
【発明の詳細な説明】
【技術分野】
【０００１】
本開示は、遠隔ビデオ検査システムに関し、より詳細には、遠隔ビデオ検査システム用ケーブルリールのフレームに関する。
【背景技術】
【０００２】
遠隔ビデオ検査システムは、欠陥や障害物のような問題に関して、管、特に長い管の内部状態を検査するのに使用されることができる。長い管は、例えば、熱交換器管、送水管、ガス管、電線用導管、光ファイバ管、掘削孔、排水管、地下下水管とすることができる。
【０００３】
図１を参照すると典型的な遠隔ビデオ検査システム１は、検査される空間（例えば、長い管３）内部の画像を取得するためのカメラ２と、カメラ２に接続されるビデオケーブル４と、ビデオケーブル４を巻きつけて収納するためのケーブルリール５と、ビデオ画像表示装置６とを含む。ビデオケーブル４は、カメラ２からのビデオ信号をビデオ画像表示装置６に送信し、そこでカメラ２から送信された画像を表示する。検査工程では、操作者／使用者７は、一般に、検査される空間でビデオケーブル４を操作する際に膝をつくかしゃがみ、ビデオ画像表示装置６は、一般に、地面の操作者／使用者の近くに置かれる。
【発明の概要】
【課題を解決するための手段】
【０００４】
本開示のケーブルリール用フレーム組立体は、下部支持フレームと上部支持部材とを含む。下部支持フレームは、回転可能にドラムを支持する。上部支持部材は、下部支持フレームに取り付けられ、１つまたは複数の平面台部材を支持する。
【０００５】
ケーブルリールは、ドラムと下部支持フレームと上部支持部材とを含む。下部支持フレームは、回転可能にドラムを支持する。上部支持部材は、下部支持フレームに取り付けられて、少なくとも１つの平面台部材を支持する。
【０００６】
１つの特徴としては、上部支持部材は、シート、引き出し、作業面、および／または検査工程で使用されるツールや装置の取り付け位置を形成する構造としてもよい。
【０００７】
他の特徴としては、上部支持部材またはその一部は、作業位置と収納位置との間で可動であってもよい。収納位置にあるときには、上部支持部材は、ドラムのわきに位置し、ドラムを支持するシャフトに直角である。作業位置にあるとき、上部支持部材は、ドラムの上方に位置し、ドラムを支持するシャフトに平行である。
【０００８】
ケーブルリール用フレーム組立体は、第１の脚組立体と、ケーブルリールの中心軸に平行な方向に沿って第１の脚組立体から離間される第２の脚組立体とを含む。ブリッジ部材が、第１の脚組立体と第２の脚組立体との間に配置される。シャフトは、第１の脚組立体と第２の脚組立体との間でドラムを回転可能に支持するために、第１の脚組立体と第２の脚組立体との間に伸びる。上部支持部材は、作業位置と収納位置との間で可動である。
【０００９】
この節は、本開示の概要を示し、その特徴の全範囲または全てを包括的に開示するものではない。
【００１０】
本発明は、詳細な説明と添付図面とにより、より十分に理解される。
【００１１】
対応する参照符号は、図面の複数の図全体にわたって対応する部品を指すものとする。
【図面の簡単な説明】
【００１２】
【図１】先行技術のビデオ検査システムの操作を示す斜視図である。
【図２Ａ】本開示の一実施形態による遠隔ビデオ検査システムの斜視図である。
【図２Ｂ】図２Ａのケーブルリールのフレームの部分分解斜視図である。
【図３Ａ】本開示の別の実施形態によるケーブルリールの斜視図である。
【図３Ｂ】図３Ａの上部支持部材の取り付け配置の概略的な分解斜視図である。
【図４Ａ】本開示の別の実施形態のケーブルリールの斜視図である。
【図４Ｂ】図４Ａの補助支持ブラケットの斜視図である。
【図４Ｃ】図４Ａの上部支持部材および補助支持ブラケットの取り付け配置の概略的な分解斜視図である。
【図４Ｄ】図４Ｃの上部支持部材および補助支持ブラケットの代替の取り付け配置の概略的な分解斜視図である。
【図５】本開示の別の実施形態による上部支持部材の斜視図である。
【図６】本開示の別の実施形態による上部支持ブラケットの斜視図である。
【図７】本開示の別の実施形態による上部支持部材の斜視図である。
【発明を実施するための形態】
【００１３】
第１の実施形態
図２Ａを参照すると本開示による遠隔ビデオ検査システム１０は、ケーブルリール１２と表示装置１４とカメラヘッド１６とを含む。ケーブルリール１２は、ドラム１８とフレーム組立体２０とケーブル２２とを含む。ドラム１８は、ケーブル２２を収納するための中空収納空間２４を画定する。ケーブル２２は、ドラム１８の中心軸Ａ（図２Ｂ参照）を中心として巻きつけられる。
【００１４】
ケーブル２２は、フレーム組立体２０に固定される第１の端部（図示せず）と、カメラヘッド１６に取り付けられる第２の端部２５とを有する。地下の排水管のような長い管の内部状態などの遠隔の空間を検査するために、カメラヘッド１６とケーブル２２とが排水管に挿入される。ケーブル２２が挿入されると、カメラヘッド１６が排水管の内部状態のビデオ画像を取得する。カメラヘッド１６は、略円筒状で、どのようなサイズの排水管にも挿入できるように小さい直径を有することができる。
【００１５】
ケーブル２２は、電線が収容される内側チャネルを画定することができる。カメラヘッド１６によって取得された画像は、ケーブル２２内の電線を介して、コンポジットＮＴＳＣビデオ信号のようなデジタルまたはアナログのビデオ信号によって送信されることができる。表示装置１４は、カメラヘッド１６によって取得された画像を表示するビデオ画像表示装置とすることができる。表示装置１４は、フレーム組立体２０に取り付けられたＵＳＢインタフェース（図示せず）によって、ケーブル２２ひいてはカメラヘッド１６に接続されることができる。あるいは、検査システムは、カメラヘッド１６がワイヤレスでデジタルまたはアナログビデオ信号を、表示のために信号を受信および処理できる表示装置１４に送信するように動作可能である構造にしてもよい。
【００１６】
任意で、検査を記録するために、レコーダ２６が設けられる場合もある。レコーダ２６は、持ち運びが容易な軽量のＤＶＤレコーダとしてもよいし、また、検査時の音声を録音できる内蔵マイクを有してもよい。
【００１７】
図２Ｂを参照するとフレーム組立体２０は、ドラム１８を回転可能に支持する下部フレーム２８と、下部支持フレーム２８に取り付けられる上部支持部材３０とを含む。上部支持部材３０は、少なくとも１つの上部平面３１を画定し、これは検査作業を容易にするための多目的台として使用されることができる。
【００１８】
下部支持フレーム２８は、第１の脚部３２の組と、第２の脚部３３の組と、第１の脚部３２の組を第２の脚部３３の組に接続するブリッジ部材３４とを含む。第１の脚部３２の組と第２の脚部３３の組とは、ドラム１８の中心軸に平行な方向に沿って離間されている。第１の脚部３２および第２の脚部３３は、各々接続端部３６と自由端部３７とを含む。第１の脚部３２は、その接続端部３６で接続されて、第１の脚組立体を形成し、略逆Ｖ字型形状をなす。第２の脚部３３は、その接続端部３６で接続されて、第２の脚組立体を形成し、略逆Ｖ字型形状をなす。ブリッジ部材３４は、第１の脚組立体と第２の脚組立体との間に配置され、接続端部３６を接続する。ブリッジ部材３４は、略逆Ｕ字型形状をなす。
【００１９】
第１の脚組立体および第２の脚組立体は各々、第１の脚部３２間または第２の脚部３３間に横部材３９を含む。シャフト３５は、ドラム１８を回転可能に支持するために、横部材３９間に配置されて取り付けられる。ドラム１８は、第１の脚組立体と第２の脚組立体との間でブリッジ部材３４の下に配置される。ブリッジ部材３４は、ケーブルリール１２を持ち運ぶための取っ手の役割をする場合もある。
【００２０】
各脚組立体は、車輪４０を含む。車輪４０は、ケーブルリール１２の移動を容易にする。１組の車輪４０のみが図示されているが、車輪４０は全ての脚部３２、３３に取り付けられてもよいことは理解され、かつ認識されたい。
【００２１】
各脚組立体は、２つの脚部３２または３３を含むとして示されているが、各脚組立体は１つの脚部のみを有することもできるし、地面でフレームを支持するための先行技術で知られている任意の構造を有することも可能であることは理解され、かつ認識されたい。
【００２２】
上部支持部材３０は、下部支持フレーム２８に取り付けられ、ドラム１８より上に配置される。上部支持部材３０は、第１の台部材４２、第２の台部材４４、第１の台部材４２と第２の台部材４４とを接続するための接続ブラケット部材４６の組を画定する。接続ブラケット部材４６は各々、ブリッジ部材３４の対応する第２の開口部５０と位置合わせされた第１の開口部４８を画定する。上部支持部材３０は、任意の従来の締結手段によって、例えば、ナットボルトまたはネジなどによってブリッジ部材３４に取り付けられることができる。
【００２３】
第１の台部材４２および第２の台部材４４は各々、多目的の台の役割をすることができる上部平面３１を画定する構造にしてもよい。例えば、表示装置１４とレコーダ２６とは、検査工程時に、上部平面３１の片方または両方に置かれてもよい。さらに、上部支持部材３０は、遠隔ビデオ検査システムの使用者／操作者のシートの役割をする構造にしてもよい。例えば、使用者／操作者は、第１の台部材４２に座り、表示装置１４は第２の台部材４４に置かれてもよい。したがって、使用者は第２の台部材４４に置かれた表示装置１４を見ながら楽に座ることができる。
【００２４】
第１の台部材４２と第２の台部材４４と接続ブラケット部材４６とは、それらの間の空間５２を画定する。上部支持部材３０が下部支持フレーム２８に取り付けられるときに、ブリッジ部材３４は空間５２まで伸びて、使用者／操作者は、上部支持部材３０がドラム１８の上方に取り付けられていても、ブリッジ部材３４をケーブルリール１２の持ち運び用取っ手として使用することができる。
【００２５】
任意で、Ｖｅｌｃｒｏ（Ｒ）のようなマジックテープ（登録商標）が第１および第２の台部材４２、４４の片方または両方の上部平面３１に取り付けられて、対応するマジックテープ（登録商標）を有する表示装置１４やレコーダ２６のような装置が上部支持部材３０に固定されるようにしてもよい。
【００２６】
第１の台部材４２と第２の台部材４４とは、ドラム１８の回転方向Ｘに沿って並んで示されているが、第１の台部材４２と第２の台部材４４とは、ドラム１８の中心軸Ａに平行な方向に沿って並ぶように配置されてもよいことは理解され、かつ認識されたい。すなわち、第１の台部材４２と第２の台部材４４とは、ドラム１８の両側に配置されてもよい。
【００２７】
第２の実施形態
図３Ａを参照すると本開示の第２の実施形態のケーブルリール６０は、ドラム１８と、ドラム１８を回転可能に支持するためのフレーム組立体６２とを含む。フレーム組立体６２は、上部支持部材３０と下部支持フレーム６４とを含む。フレーム組立体６２は、第１の実施形態のフレーム組立体と同様である。
【００２８】
下部支持フレーム６４は、第１の脚部６５の組と、第２の脚部６６の組と、ブリッジ部材６７と、第２の横部材６８の組と、複数の脚部延長部７０とを含む。第１の脚部６５および第２の脚部６６は各々、接続端部７１と自由端部７２とを含む。ブリッジ部材６７は、第１の脚部６５および第２の脚部６６の接続端部７１に接続される。第２の横部材６８は、第１の脚部６５の一方の自由端部７２と第２の脚部６６の一方の自由端部７２とに取り付けられる。
【００２９】
複数の脚延長部７０は、下部支持フレーム６４の安定性を改善するために、第１の脚部６５の自由端部と第２の脚部６６の自由端部７２に枢動可能に取り付けられる。非使用時には、脚延長部７０は、折り畳み位置または収納位置に向かって内側に枢動される（図３Ａ参照）。使用時には、脚延長部７０は、第２の横部材６８の隣接する１つと一直線に並ぶように、延長位置または使用位置に向かって外側に枢動されて、下部支持フレーム６４の安定性を改善することができる。脚延長部が収納位置にあるとき、下部支持フレーム６４を横向けに置いて、下部支持フレーム６４が下部支持フレーム６４と上部支持部材３０とに位置する複数の脚パッド６１によって支持されるようにすることも可能である。
【００３０】
図３Ｂは、上部支部材３０を下部支持フレーム６４に固定するための配置を示す。取付ブラケット６９は、下部支持フレーム６４のブリッジ部材６７に合わせた形状である中央凹部５５の両側にフランジ５３を有する。フランジ５３の複数の開口部５７は、上部支持部材３０の接続ブラケット部材７７がブリッジ部材６７を間にして取付ブラケット６９と向かい合う位置にあるとき、上部支持部材３０の接続ブラケット部材７７にある対応する開口部５９と位置合わせされる。ネジ部品のような締め具７９は、取付部材６９を上部支持部材３０に固定し、上部支持部材３０を下部支持フレーム６４に取り付ける。
【００３１】
第３の実施形態
図４Ａを参照すると本開示の第３の実施形態のケーブルリール８０は、ドラム１８と、ドラム１８を支持するためのフレーム組立体８２とを含む。フレーム組立体８２は、下部支持フレーム８４と上部支持部材８５とを含む。下部支持フレーム８４が脚延長部８８と車輪８９との組み合わせを含むこと、また上部支持部材８５が補助支持ブラケット８３を含むことを除いて、下部支持フレーム８４は、第２の実施形態の下部支持フレーム６４と同様である。
【００３２】
より詳細には、下部支持フレーム８４は、ドラム１８の両側に位置決めされる第１の脚部８６の組と第２の脚部８７の組とを含む。第１の脚部８６の一方は脚延長部８８を含み、第１の脚部８６の他方は車輪８９を含む。同様に、第２の脚部８７の一方は脚延長部８８を含み、第２の脚部８７の他方は車輪８９を含む。上部支持部材８５は、作業台８１と補助支持ブラケット８３とを含む。補助支持ブラケット８３は、ドラム１８のわきに取り付けられ、ラップトップコンピュータ、表示装置、または他の機器などの補助装置５１をケーブルリール８０に取り付けることができる。作業台８１は、接続ブラケット部材７３によって支持され、接続ブラケット部材７３はさらに、上部支持部材８５を下部支持フレーム８４に取り付けるのを容易にする。
【００３３】
図４Ｂを参照すると補助支持ブラケット８３は、中央取付部７４と、中央取付部７４の両側で２つの離間されたＬ字型フランジ７５とを含む。中央取付部７４は、下部支持フレーム６４のブリッジ部材６７に合わせた形状である凹部７６を画定する。フランジ７５は各々、幅Ｗの比較的狭く直角なチャネル９１を画定し、チャネル９１は、対応する取付機構９３と協働可能であり、取付機構は、補助装置に含まれる、または補助装置に取り付けられることができる。
【００３４】
例えば、ラップトップコンピュータのような補助装置５１（例えば、図４Ａを参照）は、その基部に１つのまたは２つの離間した取付機構９３を含むことができる。取付機構９３は、２つの外側部９７の間に位置する中央部９５を有する略円筒状部材の形状とすることができる。中央部９５の直径は、外側部９７の直径よりも小さい。また、中央部９５の直径はフランジ７５のチャネル９１の幅Ｗよりも小さく、外側部９７の直径はチャネル９１の幅Ｗよりも大きい。中央部９５の長さは、補助支持ブラケット８３の厚みより長い。このような構造で、円筒状取付機構９３は、作業台８１の位置に関わらず、補助支持ブラケット８３のフランジ７５のチャネル９１内を摺動して、ラップトップコンピュータをケーブルリール８０に固定することができる。ラップトップコンピュータは、ケーブルリール８０に固定されると、その主要上面と底面とがドラム１８の中心軸Ａに直角に配向されて、ドラム１８のわきに配置される。補助支持ブラケット８３によって、使用者／操作者はケーブルリール８０とラップトップコンピュータ５１とをまとめて持ち運ぶことができる。略円筒状部材について説明したが、取付機構は任意の適切な形状にすることができる。
【００３５】
図４Ｃを参照すると作業台８１の接続ブラケット部材７３および補助支持ブラケット８３は、締め具９９によってブリッジ部材６７に取り付けられる。ブリッジ部材６７に取り付けられる際、補助支持ブラケット８３の中央取付部７４と接続部材７３の中央取付部１０１とは、円形部７６で受承されるブリッジ部材６７の両側で互いに対向する。
【００３６】
図４Ｄを参照すると作業台８１の代替の接続部材７３’と補助支持ブラケット８３’とが示されている。ブリッジ部材６７の一部を取り囲む円形部７６’は、補助支持ブラケット８３’の中央取付部７４’ではなく、接続部材７３’に設けられる。接続部材７３’と補助支持ブラケット８３’とが各々半円形部を備えて、２つの半円形部が一緒になってブリッジ部材６７の一部を取り囲む円形部を形成してもよいことは理解され、かつ認識されたい。
【００３７】
第４の実施形態
図５を参照すると本開示の第４の実施形態の上部支持部材９０は、折り畳み式シートおよび／または作業台を備える構造とすることができる。より詳細には、上部支持部材９０は、第１の部材９２と、第２の部材９４と、第１の部材９２と第２の部材９４とを接続する接続部材９６の組とを含む。
【００３８】
第１の部材９２は、折り畳み式シートの役割をすることができ、第１の部分９８と第２の部分１００とを含むことができる。第２の部分１００は、折り畳み位置（破線で示される）と伸展位置（実線で示される）との間で、ヒンジ１０４によって第１の部分９８の縁部１０２に枢動可能に取り付けられる。折り畳み位置では、第２の部分１００は第１の部分９８の真上に位置する。第２の部分１００は、矢印Ａに示されたようにヒンジ１０４を中心として伸展位置まで枢動されることができる。伸展された作業位置では、第１の部分９８と第２の部分１００とは、同一平面上に位置し、一緒になって使用者が座れる上部平面１０３を画定する。
【００３９】
第２の部材９４は、作業台の役割をすることができ、板部材１０６とフランジ１０８とを含むことができる。フランジ１０８は、板部材１０６とある角度をなして板部材１０６から伸びる。例えば、フランジ１０８は、板部材１０６から直角に伸びてもよい。フランジ１０８は、折り畳み可能に板部材１０６に取り付けられてもよい。使用時に、フランジ１０８は、フランジ１０８が板部材１０６とある角度をなして配置されるように、板部材１０６の上部平面１０７の方に枢動されることができる。上部平面１０７は、検査工程で使用される装置、例えば、表示装置やレコーダを支承するのに使用されることができる。フランジ１０８は、装置が上部支持部材９０から落ちるのを防ぐことができる。
【００４０】
図示されていないが、第１の部材９２の第１の部分９８と第２の部分１００とは、伸縮自在に取り付けられてもよいことは理解され、かつ認識されたい。例えば、第１の部分９８は受容空間を画定し、第２の部分１００が折り畳み位置でその受容空間に受容され、伸展位置で第１の部分から引き出されてもよい。同様に、第２の板部材のフランジ１０８は、板部材１０６の溝に受容されてもよい。使用時に、フランジ１０８は、溝から引き上げられて、板部材１０６とある角度をなして配置されてもよい。
【００４１】
第５の実施形態
図６を参照すると本開示の第５の実施形態の上部支持部材１１０は、折り畳み式シート、台、および少なくとも１つの引き出しの役割をする構造とすることができる。上部支持部材１１０は、折り畳み式シートとして使用される第１の部材１１２と、作業台として使用される第２の部材１１４とを含むことができる。第２の部材１１４は、検査作業時に使用される検査具などの収納スペースを有する引き出し１１６を含むことができる。
【００４２】
第６の実施形態
図７を参照すると第７の実施形態の上部支持部材１２０は一体成形の板部材１２２を有することが示されている。板部材１２２は、下部支持フレーム２８、６４または８４のブリッジ部材３４または６７が通ることができる開口部１２４を画定する。
【００４３】
本開示によれば、ケーブルリールのフレーム組立体は、下部支持フレームに取り付けられた上部支持部材を含む。上部支持部材は、平面上部を画定し、使用者用の折り畳み式シート、収納用の引き出し、例えば、コンピュータ、画像表示装置、レコーダなどの検査作業で使用される装置を置くための台として構成できる。さらに、上部支持部材は、検査システムと共にまたは検査工程で使用される道具や装置、例えば、電源、バッテリ、検査の画像および／またはビデオを記録する装置などの電子部品、または検査システムとコンピュータとの接続を行うドッキングステーションの取付場所になる場合もある。
【００４４】
上部支持部材は、補助支持ブラケットを含んでもよい。上部支持部材を有するケーブルリールのフレーム組立体は、特に、検査作業で使用される装置を置くための平面もきれいな面も見つからない厳しい環境で排水管の検査が行われるときに有利である。
【００４５】
本説明は単なる例示であって、したがって、本開示の主旨から逸脱しない変形例も本開示の範囲に含まれるものとする。さらなる本発明の適用領域は、後述される詳細な説明から明らかになる。本説明と特定の実施例とは、本発明の好適な実施形態を示すが、例示のみを目的とし、本開示の範囲を制限するものではないことは理解すべきである。
【符号の説明】
【００４６】
１、１０  遠隔ビデオ検査システム
２  カメラ
３  長い管
４  ビデオケーブル
５、１２、６０、８０  ケーブルリール
６  ビデオ画像表示装置
７  操作者／使用者
１４  表示装置
１６  カメラヘッド
１８  ドラム
２０、６２、８２  フレーム組立体
２２  ケーブル
２４  中空収納空間
２５  第２の端部
２６  レコーダ
２８、６４、８４  下部支持フレーム
３０、８５、９０、１１０、１２０  上部支持部材
３１、１０３、１０７  上部平面
３２、６５、８６  第１の脚部
３３、６６、８７  第２の脚部
３４、６７  ブリッジ部材
３５  シャフト
３６、７１  接続端部
３７、７２  自由端部
３９  横部材
４０、８９  車輪
４２  第１の台部材
４４  第２の台部材
４６、７３、７７  接続ブラケット部材
４８  第１の開口部
５０  第２の開口部
５１  補助装置、ラップトップコンピュータ
５２  空間
５３、７５、１０８  フランジ
５５  中央凹部
５７、５９、１２４  開口部
６１  脚パッド
６８  第２の横部材
６９  取付ブラケット、取付部材
７０、８８  脚延長部
７３’、９６  接続部材
７４、７４’、１０１  中央取付部
７６、７６’  円形部、凹部
７９、９９  締め具
８１  作業台
８３、８３’  補助支持ブラケット
９１  チャネル
９２、１１２  第１の部材
９３  取付機構
９４、１１４  第２の部材
９５  中央部
９７  外側部
９８  第１の部分
１００  第２の部分
１０２  縁部
１０４  ヒンジ
１０６、１２２  板部材
１１６  引き出し
【図１】
2011103649.tif 000003
【図２Ａ】
2011103649.tif 000004
【図２Ｂ】
2011103649.tif 000005
【図３Ａ】
2011103649.tif 000006
【図３Ｂ】
2011103649.tif 000007
【図４Ａ】
2011103649.tif 000008
【図４Ｂ】
2011103649.tif 000009
【図４Ｃ】
2011103649.tif 000010
【図４Ｄ】
2011103649.tif 000011
【図５】
2011103649.tif 000012
【図６】
2011103649.tif 000013
【図７】
2011103649.tif 000014
【外国語明細書】
2011103649000001.pdf